(57)【特許請求の範囲】
【請求項１】
四隅に配置する４本の柱の上端部間を４本の上梁で長方形状に連結すると共に、この４本の柱の下端部間を４本の下梁で長方形状に連結することにより、前記柱，上梁及び下梁で直方体状の建物ユニット本体が形成され、必要に応じて前記柱間に位置させて上梁と下梁を結合する他の柱が設けられ、
前記柱の少なくとも４本の上下方向中間に水平方向に突出した腕木を有する床支持部材がボルトで取り付けられ、
前記腕木に踊り場となる中間床が支持され、
前記建物ユニット本体の上部に前記中間床と重ならない位置に上床を設けた踊り場用建物ユニットであって、
前記柱の少なくとも４本を上下方向に複数の取付孔が形成された取付孔付柱とすると共に、前記複数の取付孔の選択したものに前記ボルトを挿通して前記床支持部材を前記取付孔付柱に取り付けることにより、前記腕木の取り付け高さが調整可能に設けられ、
前記中間床の床フレームは方形に形成された外枠を有し、前記外枠のフレーム部には前記腕木に対応させた切欠が複数形成され、前記フレーム部が前記切欠に配設された前記腕木に支持されていると共に、
前記フレーム部は、支持壁から上方に突出する内側壁および外側壁を有すると共に、前記内側壁と前記外側壁の上端部から互いに接近する方向に突出し且つ前記フレーム部の長手方向に延びるフランジを有し、
前記支持壁と前記フランジとの間に床固定部材が弾接するように介装され、前記床固定部材に前記中間床の床板がネジで固定されていることを特徴とする踊り場用建物ユニット。
【請求項２】
請求項１に記載の踊り場用建物ユニットにおいて、前記切欠に配設した腕木上にボルト固定されたフレーム支持金具上に前記フレーム部が支持されている共に、前記フレーム支持金具上に前記フレーム部が溶接固定されていることを特徴とする踊り場用建物ユニット。
【請求項３】
請求項２に記載の踊り場用建物ユニットにおいて、前記フレーム部は内側壁，外側壁，底壁，上支持壁から閉断面構造に形成され、前記上支持壁の幅方向中央部にはフレーム部の長手方向に延び下方に膨出する支持突部が形成されていると共に、前記支持突部は前記フレーム支持金具上に溶接固定されていることを特徴とする踊り場用建物ユニット。
【請求項４】
請求項１〜３のいずれか一つに記載の踊り場用建物ユニットにおいて、前記フレーム部の長手方向において、切欠の寸法は前記腕木の寸法及び前記腕木挿通孔の寸法よりも大きく形成され、前記腕木挿通孔の寸法は前記切欠の寸法よりも小さく且つ前記腕木の寸法よりも大きく形成されていることを特徴とする踊り場用建物ユニット。
【請求項５】
請求項１〜４のいずれか一つに記載の踊り場用建物ユニットにおいて、  前記床固定部材は、チャンネル状に形成され且つ開放端側が下方に向けられていることを特徴とする踊り場用建物ユニット。
【請求項６】
請求項１〜５のいずれか一つに記載の踊り場用建物ユニットにおいて、前記四隅の柱はコーナ支柱であり、前記取付孔付柱は前記コーナ支柱間に位置させて上梁と下梁を結合する間柱であることを特徴とする踊り場用建物ユニット。
【請求項７】
請求項６に記載の踊り場用建物ユニットにおいて、前記床支持部材は前記間柱に沿って取り付けられる被取付部および前記被取付部から中間床側に突出する腕木から略Ｔ字状に形成され、前記腕木に前記中間床が支持されていることを特徴とする踊り場用建物ユニット。
【請求項８】
請求項７に記載の踊り場用建物ユニットにおいて、前記間柱には上下に延び且つ前記ユニット本体側に開放する取付溝を有するチャンネル部材が用いられ、前記被取付部には上下に延び且つ前記間柱側に開放する支持部材側溝を有するチャンネル部材が用いられていると共に、前記支持部材側溝を形成する対向壁は前記取付溝を形成する対向壁に前記ボルトでそれぞれ固定されて、前記被取付部と前記間柱の取付位置における水平断面が閉断面構造となっていることを特徴とする踊り場用建物ユニット。
【請求項９】
請求項１〜８のいずれか一つに記載の踊り場用建物ユニットを備えたことを特徴とするユニット建物。
【発明の詳細な説明】
【技術分野】
【０００１】
この発明は、中間床を備える踊り場用建物ユニットとユニット建物に関するものである。
【背景技術】
【０００２】
建物ユニットでは、四隅に配置する４本の支柱の上端部間を４本の上梁で長方形状に連結すると共に、この４本の支柱の下端部間を４本の下梁で長方形状に連結することにより、支柱，上梁及び下梁で直方体状の骨組みを形成しているのが一般的である。また、このような建物ユニットでは、例えば、対向する桁側の面となる部分に間柱をそれぞれ設けることも普通である。
【０００３】
このような建物ユニットには、２本の支柱と対向する２本の間柱の上下方向の中間に４本の中間梁を方形状に掛け渡して、この４本の中間梁上に床部材を中間床として支持させた構造も知られている（例えば、特許文献１参照）。
【０００４】
しかしながら、従来の建物ユニットでは、中間床を設ける高さが設計により決まるため、中間床を設ける高さを自由に変更することができないものであった。
【０００５】
この問題を解決するユニット建物としては、四隅に配設される４本のコーナ支柱の上端部間を４本の上梁で長方形状に接合し、この４本のコーナ支柱の下端部間を４本の下梁で方形状に接合することにより、直方体状の本体フレーム部を構成すると共に、調整床部の長方形状の下地フレームのコーナ部に設けられた筒部に本体フレーム部の各コーナ支柱をそれぞれ上下移動可能に嵌合し、各筒部を各コーナ支柱にボルト・ナットで固定するようにしたものが知られている（例えば、特許文献２参照）。
【特許文献１】特開２００７−３３２６９９号公報
【特許文献２】特許第３８７１７５４号公報
【発明の開示】
【発明が解決しようとする課題】
【０００６】
この調整床部を有するユニット建物では、各コーナ支柱に上下方向に間隔をおいて複数の取付孔を設けていて、調整床部の高さを調整可能である。しかしながら、調整床部の高さ調整には四隅の筒部を同時に同量上下させる必要があるため、高さ調整が容易ではなかった。例えば、調整床部の下地フレームが少しでも傾斜した場合には、コーナ部に設けた筒部がコーナ支柱に対して当たるために、下地フレームの高さ調整が容易ではなかった。
【０００７】
この発明は、踊り場となる中間床を設ける高さを設計によらずに自由且つ容易に変更することができる踊り場用建物ユニットとユニット建物を提供することを目的とするものである。
【課題を解決するための手段】
【０００８】
この目的を達成するため、請求項１の発明は、四隅に配置する４本の柱の上端部間を４本の上梁で長方形状に連結すると共に、この４本の柱の下端部間を４本の下梁で長方形状に連結することにより、前記柱，上梁及び下梁で直方体状の建物ユニット本体が形成され、必要に応じて前記柱間に位置させて上梁と下梁を結合する他の柱が設けられ、前記柱の少なくとも４本の上下方向中間に水平方向に突出した腕木を有する床支持部材がボルトで取り付けられ、前記腕木に踊り場となる中間床が支持され、前記建物ユニット本体の上部に前記中間床と重ならない位置に上床を設けた踊り場用建物ユニットであって、
前記柱の少なくとも４本を上下方向に複数の取付孔が形成された取付孔付柱とすると共に、前記複数の取付孔の選択したものに前記ボルトを挿通して前記床支持部材を前記取付孔付柱に取り付けることにより、前記腕木の取り付け高さが調整可能に設けられ、前記中間床の床フレームは方形に形成された外枠を有し、前記外枠のフレーム部には前記腕木に対応させた切欠が複数形成され、前記フレーム部が前記切欠に配設された前記腕木に支持されていると共に、
前記フレーム部は、支持壁から上方に突出する内側壁および外側壁を有すると共に、前記内側壁と前記外側壁の上端部から互いに接近する方向に突出し且つ前記フレーム部の長手方向に延びるフランジを有し、前記支持壁と前記フランジとの間に床固定部材が弾接するように介装され、前記床固定部材に前記中間床の床板がネジで固定されていることを特徴とする。
また、請求項２の発明は、請求項１に記載の踊り場用建物ユニットにおいて、前記切欠に配設した腕木上にボルト固定されたフレーム支持金具上に前記フレーム部が支持されている共に、前記フレーム支持金具上に前記フレーム部が溶接固定されていることを特徴とする。
更に、請求項３の発明は、請求項２に記載の踊り場用建物ユニットにおいて、前記フレーム部は内側壁，外側壁，底壁，上支持壁から閉断面構造に形成され、前記上支持壁の幅方向中央部にはフレーム部の長手方向に延び下方に膨出する支持突部が形成されていると共に、前記支持突部は前記フレーム支持金具上に溶接固定されていることを特徴とする。
また、請求項４の発明は、請求項１〜３のいずれか一つに記載の踊り場用建物ユニットにおいて、前記フレーム部の長手方向において、切欠の寸法は前記腕木の寸法及び前記腕木挿通孔の寸法よりも大きく形成され、前記腕木挿通孔の寸法は前記切欠の寸法よりも小さく且つ前記腕木の寸法よりも大きく形成されていることを特徴とする。
また、請求項５の発明は、請求項１〜４のいずれか一つに記載の踊り場用建物ユニットにおいて、前記床固定部材は、チャンネル状に形成され且つ開放端側が下方に向けられていることを特徴とする。
【０００９】
また、請求項６の発明は、請求項１〜５のいずれか一つに記載の踊り場用建物ユニットにおいて、前記四隅の柱はコーナ支柱であり、前記取付孔付柱は前記コーナ支柱間に位置させて上梁と下梁を結合する間柱であることを特徴とする。
【００１０】
更に、請求項７の発明は、請求項６に記載の踊り場用建物ユニットにおいて、前記床支持部材は前記間柱に沿って取り付けられる被取付部および前記被取付部から中間床側に突出する腕木から略Ｔ字状に形成され、前記腕木に前記中間床が支持されていることを特徴とする。
【００１１】
また、請求項８の発明は、請求項７に記載の踊り場用建物ユニットにおいて、前記間柱には上下に延び且つ前記ユニット本体側に開放する取付溝を有するチャンネル部材が用いられ、前記被取付部には上下に延び且つ前記間柱側に開放する支持部材側溝を有するチャンネル部材が用いられていると共に、前記支持部材側溝を形成する対向壁は前記取付溝を形成する対向壁に前記ボルトでそれぞれ固定されて、前記被取付部と前記間柱の取付位置における水平断面が閉断面構造となっていることを特徴とする。
【００１２】
請求項９の発明は、請求項１〜８のいずれか一つに記載の踊り場用建物ユニットを備えたユニット建物であることを特徴とする。
【発明の効果】
【００１３】
請求項１〜５の発明によれば、柱の少なくとも４本に上下方向に等ピッチで複数の取付孔を形成して取付孔を設けた各支柱に床支持部材が同じ高さ位置になるよう前記取付孔に挿通したボルトでそれぞれ着脱可能に固定すると共に、踊り場となる中間床を前記床支持部材に支持させたので、踊り場を設ける高さを設計によらずに自由且つ容易に変更することができる。
【００１４】
また、請求項６の発明によれば、取付孔が設けられた柱はコーナ支柱間に位置させて上梁と下梁を結合する間柱としたので、ユニット本体の強度を低下させることなく、中間床を設ける高さを設計によらずに自由に変更することができる。
【００１５】
更に、請求項７の発明によれば、床支持部材は間柱に沿って取り付けられる被取付部および被取付部から中間床側に突出する腕木から略Ｔ字状に形成され、腕木に中間床が支持される構成としたので、間柱間に中間梁を掛け渡して、この中間梁上に中間床の周縁部を支持させた構造に比べて、構造が簡単で且つ簡単に取り付けることができると共に、安価に製造できる。
【００１６】
また、請求項８の発明によれば、被取付部と間柱の取付位置における水平断面が閉断面構造となっているので、床支持部材の間柱への取付部の強度を高くできる。
【００１７】
請求項９の発明は、請求項１〜８のいずれかの効果を有するユニット建物を提供することができる。
【発明を実施するための最良の形態】
【００１８】
以下、この発明の実施の形態を図面に基づいて説明する。
【００１９】
図１はユニット建物１の概略構造を示したものであり、図２は居室等に用いられる複数の建物ユニット２を示し、図３はこの発明に係る踊り場用建物ユニット２ａを示したものである。このユニット建物１は、複数の建物ユニット２及び踊り場用建物ユニット２ａを縦横に配列すると共に上下に積層することで構成されている。
(i)．居室用の建物ユニット２
この居室等に用いる建物ユニット２は図２に示したように建物ユニット本体３を有する。
【００２０】
この建物ユニット本体３は、図２に示したように、長方形状のコーナ（四隅）に対応する位置に配置した４本のコーナ支柱５，６，７，８と、コーナ支柱５，６の下端部間を結合（連結）する桁床梁（桁下梁）９と、コーナ支柱７，８の下端部間を結合（連結）する桁床梁（桁下梁）１０と、コーナ支柱５，８の下端部間を結合（連結）する妻床梁（妻下梁）１１と、コーナ支柱６，７の下端部間を結合（連結）する妻床梁（妻下下梁）１２を有する。
【００２１】
また、建物ユニット本体３は、図２に示したように、コーナ支柱５，６の上端部間を結合（連結）する桁天井梁（桁上梁）１３と、コーナ支柱７，８の上端部間を結合（連結）する桁天井梁（桁上梁）１４と、コーナ支柱５，８の上端部間を結合（連結）する妻天井梁（妻上梁）１５と、コーナ支柱６，７の上端部間を結合（連結）する妻天井梁（妻上梁）１６を有する。
【００２２】
このように建物ユニット本体３は、４本のコーナ支柱５，６，７，８の下端部間を桁床梁９，１０と妻床梁１１，１２で長方形状に連結（結合）し、４本のコーナ支柱５，６，７，８の上端部間を桁天井梁１３，１４と妻天井梁１５，１６で長方形状に連結（結合）することにより、直方体状に形成されている。
【００２３】
また、建物ユニット本体３は、図２に示したように、床フレーム１７及び天井フレーム１８を有する。
【００２４】
この床フレーム１７は、妻床梁１１，１２間に間隔をおいて並行に配設され且つ長手方向の両端部が桁床梁９，１０に固定された複数の床小梁１９と、桁床梁９，１０に沿って並行に配設され且つ複数の床小梁１７上に固定された複数の根太２０を有する。また、天井フレーム１８は、妻天井梁１５，１６間に間隔をおいて並行に配設され且つ桁天井梁１３，１４に長手方向の端部を固定した複数の天井小梁２１を有する。
【００２５】
また、建物ユニット本体３は、図２に示したように、上下に延び且つコーナ支柱５，８に近接して妻床梁１１と妻天井梁１５に下端部及び上端部が固定された間柱（間柱）２２，２２と、上下に延び且つ桁床梁１０と床天井梁１４に下端部及び上端部が固定された複数の間柱（中柱）２３を有する。
【００２６】
このような建物ユニット本体３の構造は、図１の複数の居室用の建物ユニット２に用いられている。
【００２７】
また、建物ユニット２は、図２に示したように、建物ユニット本体３の床フレーム１７に配設された床板２４と、建物ユニット本体３の天井フレーム１８の下部（下面）に取り付けられた天井板２５を内装材として有する。
【００２８】
また、図１の複数の建物ユニット２には、コーナ支柱５，８間に位置する妻側の内壁２６と、コーナ支柱７，８間に位置する桁側の内壁２７が内装材として設けられている。この内壁２６は間柱２２に取り付けられ、内壁２７は間柱２３に取り付けられている。
【００２９】
尚、図２の居室用の建物ユニット２には間柱２２，２３を設けているが、図１の複数の居室用の建物ユニット２のうち間柱２２，２３が必要のないものもある。複数の居室用の建物ユニット２では、設置する場所に応じて間柱２２，２３が設けられる。
(ii)．踊り場用建物ユニット２ａ
図２に示したような建物ユニット２を複数積み重ねる場合には、下階の建物ユニット２が天井フレーム１８を有すると共に、建物ユニット２の上下方向の継ぎ目である上階の建物ユニットの床フレーム等に例えば図３Ｂ（ａ）に示したような床Ｆが設けられるため、下階の建物ユニット２の上面に上階の建物ユニットの床荷重が作用しても、問題ない強度設計となっている。
【００３０】
この図３Ｂ（ａ）のように建物ユニット２に設けられる床Ｆを図３Ｂ（ｂ）のように上床２８ａと中間床２８とに分割して、分割した中間床２８を上床２８ａより下方に下げた踊り場用建物ユニット２ａとしても、元々の構造設計と略同様な強度を維持可能となる。尚、踊り場用建物ユニット２ａでは床が上にあるほどコーナ支柱５〜８や間柱２２，２３が床Ｆから受ける荷重によりコーナ支柱５〜８や間柱２２，２３等が受ける負担が大きくなるが、床Ｆが下がるほどコーナ支柱５〜８や間柱２２，２３等の床から受ける荷重による負担が小さくなる。
【００３１】
従って、図１の踊り場用建物ユニット２ａに踊り場となる中間床２８を設けた場合、コーナ支柱５〜８や間柱２２，２３等が上床２８ａから受ける荷重による負担は小さくなると共に、間柱２２，２３等が中間床２８から受ける荷重による負担も小さくなる。
【００３２】
このような考えに基づいて設計された図１の踊り場用建物ユニット２ａは図３に示したような建物ユニット本体３ａを有する。
【００３３】
この建物ユニット本体３ａは、図２の居室用の建物ユニット本体３と同様に、４本のコーナ支柱５，６，７，８の下端部間を桁床梁９，１０と妻床梁１１，１２で長方形状に連結（結合）し、４本のコーナ支柱５，６，７，８の上端部間を桁天井梁１３，１４と妻天井梁１５，１６で長方形状に連結（結合）することにより、直方体状に形成されている。
【００３４】
また、建物ユニット本体３ａは、図３に示したように、上下に延び且つコーナ支柱５，８に近接して妻床梁１１と妻天井梁１５に下端部及び上端部が固定された間柱（中柱）２２，２２と、上下に延び且つ桁床梁１０と床天井梁１４に下端部及び上端部が固定された複数の間柱（中柱）２３を有する。
【００３５】
また、図１の踊り場用建物ユニット２ａには、階段（図示せず）の途中に設けられる踊り場としての中間床２８が設けられている。また、建物ユニット本体３ａの上部に設けた上床２８ａと中間床２８とは重ならない位置に設けられている（図３Ｂ参照）。尚、図３では、建物ユニット本体３の説明の便宜上、中間床２８及びその支持構造の図示を省略している。
【００３６】
また、図３Ａに示したように、踊り場用建物ユニット２ａは、図２の居室用の建物ユニット２と同様な床板２４，内壁２６，２７を有する。
(ii_ａ).踊り場用建物ユニット２ａの中間床２８の支持構造
図１の踊り場用建物ユニット２ａには、図３Ｂに示したような階段Ｓａ，Ｓｂの途中に設けられる踊り場としての中間床２８が設けられている。尚、図２，図３では、建物ユニット本体３の説明の便宜上、中間床２８及びその支持構造の図示を省略していると共に、図３Ｂの階段Ｓａ，Ｓｂを省略している。
【００３７】
また、図３Ｂでは、説明の便宜上、階段Ｓｂを中間床２８上から上床２８ａまで掛け渡した状態で図示した例を示している。しかし、必ずしもこの構成に限定されるものではない。例えば、踊り場用建物ユニット２ａの桁方向における上床２８ａや中間床２８の寸法はそれぞれ１／３にして、上床２８ａや中間床２８の間に階段Ｓａ，Ｓｂを配置する構成とすることもできる。また、中間床２８と階段の配置は使用条件に応じて適宜設計できる。
【００３８】
この中間床２８の支持構造には、図４（ａ）に示したように間柱２２，２３に取り付けられるフレーム受金具（フレーム支持部材）２９が床支持部材として用いられている。また、中間床２８の支持構造には図１の如く上間仕切Ｗ１と下間仕切Ｗ２を備える間仕切Ｗａが用いられ、この下間仕切Ｗ２に図８に示したようなフレーム受金具（フレーム支持部材）２９ａ，２９ｂが用いられている。
（間柱２２，２３の構造）
この間柱２２，２３は、図４（ｂ）に示したように、対向壁３０，３０と、この対向壁３０，３０の一側縁同士を連設している連設壁３１とから、水平断面がコ字状に形成されている。そして、対向壁３０，３０間には上下に延び且つ建物ユニット本体３内に開放する取付溝３２が形成されている。しかも、各対向壁３０には、図４（ｃ）に示したように、下に等ピッチの間隔をおいて形成された複数の取付孔３３が形成されている。
（フレーム受金具２９，２９′）
このフレーム受金具２９，２９′は、図５，図６（ａ），図６（ｂ）に示したように、上下に延びる被取付部３４と、被取付部３４の上下方向の中間に設けられる水平方向に突出した腕木３５を有する。この被取付部３４は、図５及び図６（ｃ）に示したように、対向壁３４ａ，３４ａと、この対向壁３４ａ，３４ａの一側縁を連設している連設壁３４ｂから水平断面がコ字状（チャンネル状）に形成されている。各対向壁３４ａの上下端部には取付孔３６，３６が形成されている。尚、対向壁３４ａ，３４ａ間には図４（ｄ）に示したように支持部材側溝３４ｃが形成されている。
【００３９】
また、腕木３５は、図５及び図６（ｂ）に示したように、対向側壁３５ａ，３５ａ及び対向側壁３５ａ，３５ａの上縁を連設する上壁３５ｂから縦断面形状が逆Ｕ字状に形成されていると共に、基端部が連設壁３４ｂに溶接固定されている。しかも、上壁３５ｂの先端部には取付孔３７が形成されている。
【００４０】
更に、上壁３５ｂの先端部の下面には、図６（ａ），図６（ｂ）に示したように、ナット３７ｎが溶接固定されている。このナット３７ｎのネジ穴３７ｎｓは、図６（ｄ）に示したように、取付孔３７と一致させられている。また、腕木３５の対向側壁３５ａ，３５ａと被取付部３４の連設壁３４ｂには上下に延びる補強板３８，３８が溶接固定されている。
【００４１】
このようなフレーム受金具２９（２９′）は、図４（ｄ）のように被取付部３４を間柱２２（２３）の取付溝３２内に上下に向けて配設し、取付孔３３，３６を貫通するボルト３９とナット４０で対向側壁３４ａを間柱２２（２３）の対向壁３０に固定することにより、間柱２２（２３）に着脱可能に取り付けられている。この際、フレーム受金具２９（２９′）の取り付け高さは、間柱２２（２３）の複数の取付孔３３のうちボルト３９を挿通させるものを選択することで、上下方向に任意に段階的に変更できる。
【００４２】
更に、妻側の内壁２６には、図４（ａ）の間柱２２，２２に取り付けたフレーム受金具２９，２９の腕木３５，３５に対応して図７の如く腕木挿通孔４１，４１が形成されている。また、桁側の内壁２７には、図４（ａ）の間柱２３，２３に取り付けたフレーム受金具２９′，２９′の腕木３５，３５に対応して図７の如く腕木挿通孔４２，４２が形成されている。そして、図４（ａ）のフレーム受金具２９，２９の腕木３５，３５は図７の如く腕木挿通孔４１，４１に挿通されて内壁２６から居室４３側に水平方向に突出し、図４（ａ）のフレーム受金具２９′，２９′の腕木３５，３５は図７の如く腕木挿通孔４２，４２に挿通されて内壁２７から居室４３側に水平方向に突出している。
（図１の下間仕切Ｗ２及び図８のフレーム受金具２９ａ，２９ｂ）
この図１の下間仕切Ｗ２は、図８（ａ），（ｂ）に示したような間仕切フレーム４４と、図示しない内壁及び外壁を有する。この間仕切フレーム４４は、縦枠４５ａ，４５ｂ，４５ｃと、縦枠４５ａ，４５ｂの上端部間及び縦枠４５ｂ，４５ｃの上端部間をそれぞれ結合している上端横枠４６，４６と、縦枠４５ａ，４５ｂの下端部間及び縦枠４５ｂ，４５ｃの下部間をそれぞれ結合している下端横枠４７，４７を有する。また、間仕切フレーム４４は、縦枠４５ａ，４５ｂの上下方向の中間部間及び縦枠４５ｂ，４５ｃの上下方向の中間部間を結合している複数の中横枠４８を有する。
【００４３】
また、図２の桁床梁９の内側面には図９の如くブラケット４９が固定され、このブラケット４９上に間仕切フレーム４４の下端横枠４７がボルト５０により取り付けられている。
【００４４】
更に、図８（ａ），図８（ｂ）に示したように、縦枠４５ａ，４５ｂの上端部間及び縦枠４５ｂ，４５ｃの上端部間には、フレーム受金具（フレーム支持部材）２９ａ，２９ｂがそれぞれ配設されている。このフレーム受金具２９ａは、図８（ａ），図８（ｂ）のように上端枠４６に沿って延びる連結板（連結部材）５１と、この連結板５１に取り付けられた腕木３５を有する。このフレーム受金具２９ａの連結板５１は縦枠４５ａ，４５ｂにボルト（図示せず）又は溶接等により固定されている。
【００４５】
また、フレーム受金具２９ｂもフレーム受金具２９ａと同様な構成を有する。即ち、フレーム受金具２９ｂは、図８（ａ），図８（ｂ）のように上端枠４６に沿って延びる連結板（連結部材）５１と、この連結板５１に取り付けられた腕木３５を有する。このフレーム受金具２９ｂの連結板５１は、縦枠４５ａ，４５ｂにボルト（図示せず）又は溶接等により固定されている。
【００４６】
尚、フレーム受金具２９ａ，２９ｂでは、腕木３５の設ける位置が相違している。即ち、フレーム受金具２９ａでは腕木３５が縦枠４５ａ側に設けられているのに対して、フレーム受金具２９ｂでは腕木３５が縦枠４５ｂ側に設けられている点で、腕木３５の設ける位置が相違しているのみである。
(ii_ｂ).中間床２８
図１，図３Ｂに示した中間床２８は、図１０に示したような床フレーム５３と、図１１のように床フレーム５３上に取り付けられたパーチクルボード等の床板５４を有する。この中間床２８の床フレーム５３が、図４（ａ）に示した間柱２２の腕木３５と間柱２３の腕木３５及び図８の下間仕切Ｗ２の腕木３５に以下に説明するような構造で支持させられるようになっている。
【００４７】
この床フレーム５３は、図１０に示したように、４つの辺であるフレーム部５５ａ〜５５ｄから長方形状に形成された外枠５５と、外枠５５内に縦横に設けられた内枠５６，５７を有する。そして、外枠５５のフレーム部５５ａには図４（ａ）のフレーム受金具２９，２９の腕木３５，３５に対応させる切欠５８，５８が形成され、外枠５５のフレーム部５５ｂには図４（ａ）のフレーム受金具２９′，２９′の腕木３５，３５に対応させる切欠５９，５９が形成されている。
【００４８】
また、外枠５５のフレーム部５５ｄには、図８のフレーム受金具２９ａの腕木３５及びフレーム受金具２９ｂの腕木３５，３５にそれぞれ対応させる切欠５９，５９が形成されている。
【００４９】
また、外枠５５のフレーム部５５ａは図１１に示したような断面を有し、フレーム部５５ｂ，５５ｄは図１２に示したようにフレーム部５５ａと同じ断面を有し、外枠５５のフレーム部５５ｃも図示は省略したがフレーム部５５ａと同じ断面構造を有する。従って、フレーム部５５ａの断面形状について説明し、他のフレーム部５５ｂ，５５ｄについてはその説明を省略する。
【００５０】
このフレーム部５５ａは、図１１に示したように外枠５５の内側壁６０，外側壁６１，底壁６２，上支持壁６３等から閉断面構造に形成されている。また、フレーム部５５ａは、内側壁６０と外側壁６１の上端部から互いに接近する方向に突出し、フレーム部５５ａの長手方向に延びるフランジ６４，６５を有する。このフランジ６４，６５には、下方に折曲させられた対向端部６４ａ，６５ａが設けられている。
【００５１】
また、上支持壁６３は内側壁６０及び外側壁６１の上端部近傍に設けられ、この上支持壁６３の幅方向中央部にはフレーム部５５ａの長手方向に延び下方に膨出する支持突部６６が形成されている。しかも、上述した切欠５８は、外側壁６１に設けられていて、支持突部６６の底壁６６ａの途中部分まで形成されている。
【００５２】
そして、切欠５８（５９）には図１３，図１４の如く間柱２２（２３）の腕木３５が配設され、この腕木３５上には図１４の如くフレーム部５５ａのフレーム支持金具６７がナット３７ｎに螺着したボルト６８で固定されている。尚、フレーム支持金具６７上には支持突部６６が溶接固定されている。これにより、外枠５５の妻側のフレーム部５５ａ及び桁側のフレーム部５５ｂが妻側の間柱２２の腕木３５及び桁側の間柱２３の腕木３５にそれぞれ支持されている。
【００５３】
尚、フレーム部５５ａの長手方向において、切欠５８の寸法Ｌ１は腕木３５の寸法Ｌ２及び腕木挿通孔４１の寸法Ｌ３よりも大きく形成され、腕木挿通孔４１の寸法Ｌ３は切欠５８の寸法Ｌ１よりも小さく且つ腕木３５の寸法Ｌ２よりも大きく形成されている。
【００５４】
また、図１５に示したように、上支持壁６３とフランジ６４，６５との間には、チャンネル状で開放端側を下方に向けた床固定部材６９が弾接するように介装（配設）されている。そして、この床固定部材６９に床板５４がタップネジ７０により固定されている。
【００５５】
更に、踊り場用建物ユニット２ａの間仕切り側においては、外枠５５のフレーム部５５ｄが下間仕切壁Ｗ２の腕木３５に取り付けられている。この取付構造は、フレーム部５５ａ，５５ｂと同様であるので、その説明は省略する。
【００５６】
また、外枠５５のフレーム部５５ａ，５５ｂと内壁２６，２７の下部との間には、図１４，図１５に示したようにバックアップ受け材７１，バックアップ材７２，コーキング材７３が上からこの順に設けられている。
（中間床２８の組付手順）
上述したフレーム受金具２９（２９′）の取り付け高さは、間柱２２（２３）の複数の取付孔３３のうちボルト３９を挿通させるものを選択することで、上下方向に任意に段階的に変更できる。この際、下間仕切壁Ｗ２はフレーム受金具２９（２９′）の腕木３５の高さに応じたものを用意する。
【００５７】
また、外枠５５を有する床フレーム５３を工場等において踊り場用建物ユニット２ａ内に取り付けるには、ホイスト（図示せず）及びワイヤ（図示せず）により図１６の如く床フレーム５３を吊り下げて矢印Ｂ１で示したように妻側の内壁２６側に移動させた後、この移動させた床フレーム５３を図１７の如く矢印Ｂ２で示したように上方に持ち上げて、妻側の腕木３５に対するフレーム部５５ａの切欠５８の高さを調整すると共に、桁側の腕木３５に対するフレーム部５５ｂの切欠５９の高さを調整する。
【００５８】
この際、上述したフレーム部５５ａ（５５ｂ）のフレーム支持金具６７が妻側の内壁２６（桁側の内壁２７）の腕木３５上に位置すると共に、妻側の内壁２６の腕木３５を切欠５８内に配設可能となり、且つ桁側の内壁２７の腕木３５を切欠５９内に配設可能となる高さにする。
【００５９】
この状態で、上述したフレーム部５５ａ（５５ｂ）のフレーム支持金具６７が妻側の内壁２６（桁側の内壁２７）の腕木３５上に位置するように、床フレーム５３を作業者が移動させて、妻側の内壁２６の腕木３５を切欠５８内に配設すると共に、桁側の内壁２７の腕木３５を切欠５９内に配設する。
【００６０】
この移動に伴い、フレーム支持金具６７は図２０（ａ）の状態から図２０（ｂ）のように腕木３５上に位置させられる。この状態で、腕木３５上にフレーム支持金具６７を図１４のようにボルト６８で仮固定する。
【００６１】
次に、図１８の矢印Ｂ３で示したように下間仕切壁Ｗ２をフレーム部５５ｄの側方に移動させて、図１９の如く下間仕切壁Ｗ２をフレーム部５５ｄの側方に配設する。この際、図８の下間仕切壁Ｗ２の腕木３５上にフレーム部５５ｄのフレーム支持金具（図示せず）をフレーム部５５ｂと同様に配設して、このフレーム支持金具（図示せず）を図８の下間仕切壁Ｗ２の腕木３５上に図示しないボルトで仮固定する。一方、図９のように下間仕切壁Ｗ２の下端横枠４７をボルト５０により桁床梁９のブラケット４９に固定する。
【００６２】
この後、床フレーム５３の水平状態を図示しない水準器等を用いて確認しながら、腕木３５とフレーム支持金具６７との間に図示を省略したスペーサを介装すると共に、フレーム部５５ａと妻側の内壁２６との間隔やフレーム部５５ｂと桁側の内壁２７との間隔が同じになるように調整して、図１３，図１４のように各フレーム支持金具６７を各腕木３５上に上述したようにボルト６８で固定する。この固定は下間仕切壁Ｗ２の腕木３５に対しても同様に行われる。
【００６３】
そして、図１５のように床フレーム５３上に床板５４をタップネジ７０で固定することにより、中間床２８が踊り場用建物ユニット２ａ内に構築される。この後、上述したバックアップ受け材７１，バックアップ材７２，コーキング材７３を設ける。
[変形例]
以上説明した実施例では、一つの腕木３５が設けられたフレーム受金具（フレーム支持部材）２９を、図４（ｃ）のように間柱２２，２３の設けた複数の取付孔３３で高さ調節可能に設けた例を示したが、必ずしもこれに限定されるものではない。
【００６４】
例えば、図２１，図２２に示したように、間柱２３，２３の間隔が広い部分にはフレーム受金具２９ｃを用いることができる。このフレーム受金具２９ｃは、連結板（連結部材）５１と、連結板５１の両端部に上下に向けてそれぞれ溶接固定されたアングル（被取付部）５２，５２と、この連結板５１に取り付けられた複数の腕木３５，３５を有する。この各アングル５２の上端部及び下端部には図２２のように取付孔５２ａ，５２ａが形成されている。
【００６５】
この取付孔５２ａ，５２ａ挿通した図示しないボルトを図４（ｃ）のように間柱２２，２３の設けた複数の取付孔３３の何れかに挿通して、このボルト（図示せず）でアングル５２を間柱２３に固定することにより、フレーム受金具２９ｃの高さを任意に変更できる。
【００６６】
以上説明したように、この発明の実施の形態の踊り場用建物ユニット２ａでは、四隅に配置する４本の柱（コーナ支柱５，６，７，８）の上端部間を４本の上梁（桁天井梁１３，１４、妻天井梁１５，１６）で長方形状に連結すると共に、この４本の柱（コーナ支柱５，６，７，８）の下端部間を４本の下梁（桁床梁９，１０、妻床梁１２，１１）で長方形状に連結することにより、前記柱（コーナ支柱５，６，７，８），上梁（桁天井梁１３，１４、妻天井梁１５，１６）及び下梁（桁床梁９，１０、妻床梁１２，１１）で直方体状のユニット本体３ａが形成されている。また、この踊り場用建物ユニット２ａでは、必要に応じて前記柱（コーナ支柱５，６，７，８）間に位置させて上梁（桁天井梁１３，１４、妻天井梁１５，１６）と下梁（桁床梁９，１０、妻床梁１２，１１）を結合する他の柱（間柱２２，２３）が設けられている。更に、前記柱の少なくとも４本（間柱２２，２３）の上下方向中間に水平方向に突出した腕木３５を有する床支持部材（フレーム受金具２９，２９ｃ）がボルト３９で取り付けられ、前記腕木３５に踊り場となる中間床２８を支持させている。しかも、前記柱の少なくとも４本（間柱２２，２３）を上下方向に等ピッチで複数の取付孔３３が形成された取付孔付柱とすると共に、前記複数の取付孔３３の選択したものに前記ボルト３９を挿通して前記床支持部材（フレーム受金具２９，２９ｃ）を前記取付孔付柱（間柱２２，２３）に取り付けることにより、前記腕木３５の取り付け高さを調整可能に設けている。
【００６７】
この構成によれば、柱の少なくとも４本（間柱２２，２３）に上下方向に等ピッチで複数の取付孔３３を形成して取付孔を設けた各支柱（間柱２２，２３）に床支持部材（フレーム受金具２９，２９ｃ）が同じ高さ位置になるよう前記取付孔３３に挿通したボルト３９でそれぞれ着脱可能に固定すると共に、中間床２８を前記床支持部材（フレーム受金具２９，２９ｃ）に支持させたので、踊り場の高さを設計によらずに自由且つ容易に変更することができる。
【００６８】
また、この発明の実施の形態の建物ユニットにおいて、前記四隅の柱はコーナ支柱（５，６，７，８）であり、前記取付孔付柱は前記コーナ支柱（５，６，７，８）間に位置させて上梁（桁天井梁１３，１４、妻天井梁１５，１６）と下梁（桁床梁９，１０、妻床梁１２，１１）を結合する間柱２２，２３である。
【００６９】
この構成によれば、取付孔３３が設けられた柱はコーナ支柱（５，６，７，８）間に位置させて上梁（桁天井梁１３，１４、妻天井梁１５，１６）と下梁（桁床梁９，１０、妻床梁１２，１１）を結合する間柱２２，２３としたので、ユニット本体（建物ユニット本体３ａ）の強度を低下させることなく、踊り場の高さを設計によらずに自由に変更することができる。
【００７０】
更に、この発明の実施の形態の踊り場用建物ユニットにおいて、前記床支持部材（フレーム受金具２９，２９ｃ）は前記間柱２２，２３に沿って取り付けられる被取付部３４および前記被取付部３４から中間床２８側に突出する腕木３５から略Ｔ字状に形成され、前記腕木３５に前記中間床２８が支持されている。
【００７１】
この構成によれば、床支持部材（フレーム受金具２９，２９ｃ）は間柱２２，２３に沿って取り付けられる被取付部３４および被取付部３４から中間床２８側に突出する腕木３５から略Ｔ字状に形成され、腕木３５に中間床２８が支持される構成としたので、間柱２２，２３間に中間梁を掛け渡して、この中間梁上に中間床２８の周縁部を支持させた構造に比べて、構造が簡単で且つ簡単に取り付けることができると共に、安価に製造できる。
【００７２】
また、この発明の実施の形態の踊り場用建物ユニットにおいて、前記間柱２２，２３には上下に延び且つ前記ユニット本体（建物ユニット本体３ａ）側に開放する取付溝３２を有するチャンネル部材が用いられ、前記被取付部３４には上下に延び且つ前記間柱２２，２３側に開放する支持部材側溝３４ｃを有するチャンネル部材が用いられていると共に、前記支持部材側溝３４ｃを形成する対向壁３４ａ，３４ａは前記取付溝３２を形成する対向壁３０，３０に前記ボルト３９，３９でそれぞれ固定されて、前記被取付部３４と前記間柱２２，２３の取付位置における水平断面が閉断面構造となっている。
【００７３】
この構成によれば、被取付部３４と間柱２２，２３の取付位置における水平断面が閉断面構造となっているので、床支持部材（フレーム受金具２９，２９ｃ）の間柱２２，２３への取付部の強度を高くできる。
【図面の簡単な説明】
【００７４】
【図１】この発明に係る踊り場用建物ユニットを備えるユニット建物の概略斜視図である。
【図２】図１のユニット建物に用いられる通常の踊り場用建物ユニットの説明図である。
【図３】この発明に係る踊り場用建物ユニットの説明図である。
【図３Ａ】図３の踊り場用建物ユニットに床板や内壁を設けた説明図である。
【図３Ｂ】この発明に係る踊り場用建物ユニットの強度の概略説明図である。
【図４】（ａ）は図３の踊り場用建物ユニットにフレーム受金具を設けた部分説明図、（ｂ）は（ａ）の間柱の水平断面図、（ｃ）は（ａ）の間柱の側面の詳細図、（ｄ）は（ａ）のフレーム受金具と間柱の取付部の水平断面図である。
【図５】図４（ａ）のフレーム受金具の概略斜視図である。
【図６】（ａ）は図５のフレーム受金具の側面図、（ｂ）は（ａ）のフレーム受金具の右側面図、（ｃ）は（ｂ）のフレーム受金具の平面図、（ｄ）は（ａ）のＣ１−Ｃ１線に沿う断面図である。
【図７】図４（ａ）の腕木と踊り場用建物ユニットの内壁との関係を示す概略説明図である。
【図８】（ａ）は図３の建物ユニット本体と下間仕切の間仕切フレームとの関係を示す分解斜視図、（ｂ）は（ａ）の間仕切フレームを別の角度からみた斜視図である。
【図９】図８（ａ）の間仕切フレームを建物ユニット本体の桁床梁に取り付けた状態を示す断面図である。
【図１０】図７の腕木に支持させる中間床の床フレームの概略斜視図である。
【図１１】図１０の床フレームと床板を有する中間床の説明図である。
【図１２】図１０の床フレームと床板を有する中間床の他の説明図である。
【図１３】図７の腕木と中間床の床フレームの取付部の部分平面図である。
【図１４】図１３のＣ２−Ｃ２線に沿う断面図である。
【図１５】図１１，図１２の床板を床フレームに取り付けている部分の断面図である。
【図１６】図１１，図１２の中間床の床フレームを踊り場用建物ユニットに取り付けるための説明図である。
【図１７】図１１，図１２の中間床の床フレームを踊り場用建物ユニットに取り付けるための説明図である。
【図１８】図１１，図１２の中間床の床フレームを踊り場用建物ユニットに取り付けるための説明図である。
【図１９】図１１，図１２の中間床の床フレームを踊り場用建物ユニットに取り付けるための説明図である。
【図２０】（ａ），（ｂ）は図７の腕木と中間床の床フレームの取付部の部分説明図である。
【図２１】この発明に係る他のフレーム受金具を備える踊り場用建物ユニットの概略説明図である。
【図２２】図２１のフレーム受金具の斜視図である。
【符号の説明】
【００７５】
２ａ・・・踊り場用建物ユニット
３ａ・・・建物ユニット本体（ユニット本体）
５〜８・・・コーナ支柱
９，１０・・・桁床梁（下梁）
１１，１２・・・妻床梁（下梁）
１３，１４・・・桁天井梁（上梁）
１５，１６・・・妻天井梁（上梁）
２８・・・中間床
２９，２９ｃ・・・フレーム受金具（床支持部材）
３０・・・対向壁
３２・・・取付溝
３３・・・取付孔
３４・・・被取付部
３４ａ・・・対向壁
３４ｃ・・・支持部材側溝
３５・・・腕木
【図１】
0005139889.tif 000002
【図２】
0005139889.tif 000003
【図３】
0005139889.tif 000004
【図３Ａ】
0005139889.tif 000005
【図３Ｂ】
0005139889.tif 000006
【図４】
0005139889.tif 000007
【図５】
0005139889.tif 000008
【図６】
0005139889.tif 000009
【図７】
0005139889.tif 000010
【図８】
0005139889.tif 000011
【図９】
0005139889.tif 000012
【図１０】
0005139889.tif 000013
【図１１】
0005139889.tif 000014
【図１２】
0005139889.tif 000015
【図１３】
0005139889.tif 000016
【図１４】
0005139889.tif 000017
【図１５】
0005139889.tif 000018
【図１６】
0005139889.tif 000019
【図１７】
0005139889.tif 000020
【図１８】
0005139889.tif 000021
【図１９】
0005139889.tif 000022
【図２０】
0005139889.tif 000023
【図２１】
0005139889.tif 000024
【図２２】
0005139889.tif 000025